(57)【要約】【課題】熱交換器からの端板の取り外しが容易な空気調和機を提供する。【解決手段】筐体を成す台枠２と、放熱フィン８と伝熱管９を有する熱交換器１と、前記熱交換器１で熱交換された空気を吹き出し口６より吹き出す送風機４と、前記熱交換器１の少なくとも一方の側面に設けられ前記熱交換器１を前記台枠２に固定するための端板３とを備え、前記端板３を風上側端板３ｂと風下側端板３ｃで形成すると共に、前記風上側端板３ｂと前記風下側端板３ｃとを前記伝熱管９を挟むようにして結合したもので、結合部を外すことにより、容易に風上側端板３ｂと風下側端板３ｃが分離され、かつ両端板３ｂ、３ｃを伝熱管９より簡単に取り外すことが出来る。【選択図】図１
2006200811.tif 000002
【特許請求の範囲】
【請求項１】
筐体を成す台枠と、放熱フィンと伝熱管を有する熱交換器と、前記熱交換器で熱交換された空気を吹き出し口より吹き出す送風機と、前記熱交換器の少なくとも一方の側面に設けられ前記熱交換器を前記台枠に固定するための端板とを備え、前記端板を風上側端板と風下側端板で形成すると共に、前記風上側端板と前記風下側端板とを前記伝熱管を挟むようにして結合したことを特徴とする空気調和機。
【請求項２】
風上側端板と風下側端板とをビスで結合又は／及び一方に設けた爪を他方に設けた孔に引っ掛けて結合することを特徴とする請求項１に空気調和機。
【請求項３】
筐体を成す台枠と、放熱フィンと伝熱管を有する熱交換器と、前記熱交換器で熱交換された空気を吹き出し口より吹き出す送風機と、前記熱交換器の少なくとも一方の側面に設けられ前記熱交換器を前記台枠に固定するための端板とを備え、前記端板は、前記伝熱管を挟むように配されると共に、放熱フィンの外側に位置する結合部を介して一体に形成された風上側端板と風下側端板とからなり、前記結合部の幅寸法を数ミリメートルとしたことを特徴とする空気調和機。
【発明の詳細な説明】
【技術分野】
【０００１】
本発明は、空気調和機に関するものである。
【背景技術】
【０００２】
従来の空気調和機について、図５を用いて説明する。
【０００３】
空気調和機は、前面と、上部に斜めにそれぞれ熱交換器１ａ、１ｂを内蔵している。熱交換器１ａ、１ｂのそれぞれの両側面に、取り付け孔３ａを有するとともに鉄材からなる端板３が設けられ、取り付け孔３ａを、空気調和機の筐体を成す台枠２に設けた爪２ａに引っ掛けて、熱交換器１ａ、１ｂを固定している。
【０００４】
室内の空気は、熱交換器１ａ、１ｂの背後に設置された送風機４の運転により、台枠２の前面に配した吸入パネル５より吸い込まれ、熱交換器１ａ、１ｂにて熱交換され吹き出し口６より吹き出される構造となっている。
【０００５】
熱交換器１ａ、１ｂを製作する時は、端板３に伝熱管９が貫通する孔（図示せず）を設け、その端板３を、放熱フィン８の両端に結合した後、伝熱管９を拡管して、放熱フィン８、伝熱管９、端板３が一体となって構成されている。
【０００６】
また、熱交換器の端板を樹脂製の固定板として別ピースとして構成した空気調和機もある（例えば、特許文献１参照）。
【特許文献１】特開２００３−４２４７８号公報
【発明の開示】
【発明が解決しようとする課題】
【０００７】
しかしながら、上記従来の空気調和機の構成では、空気調和機が寿命を終えた時、熱交換器１ａ、１ｂに大量に使用している放熱フィン８に用いられているアルミニウムと、伝熱管９に使用されている銅の再利用を考える時、アルミニウムと銅をそれぞれ分離する、あるいはアルミニウムと銅のミックスメタルとして取り出す方法があるがいずれの方法の場合も、端板３の材料である鉄をあらかじめ取り除かなければ不純物となるため、処理する前に端板３を取り除く必要がある。
【０００８】
しかし放熱フィン８、伝熱管９、端板３は、伝熱管９を拡管して固定されているため端板３のみを大型のカッターで切り落として取り除かなければならず、多大な工数を必要としていた。
【０００９】
また、上記特許文献１に記載された空気調和機の熱交換器の場合は、端板を樹脂製の別ピースとした物であるが、熱交換器の一方には、接続配管や銅管を溶接する必要が有るため、両側の端板を樹脂製にすることは困難であった。
【００１０】
本発明は、上記従来の課題を解決するもので、空気調和機を再処理する際に、端板を事前に簡単に取り外すことができる空気調和機を提供することを目的とする。
【課題を解決するための手段】
【００１１】
上記従来の課題を解決するために、本発明の空気調和機は、筐体を成す台枠と、放熱フィンと伝熱管を有する熱交換器と、前記熱交換器で熱交換された空気を吹き出し口より吹き出す送風機と、前記熱交換器の少なくとも一方の側面に設けられ前記熱交換器を前記台枠に固定するための端板とを備え、前記端板を風上側端板と風下側端板で形成すると共に、前記風上側端板と前記風下側端板とを前記伝熱管を挟むようにして結合したもので、結合部を外すことにより、容易に風上側端板と風下側端板が分離され、かつ両端板を伝熱管より取り外すことが出来る。
【００１２】
また、本発明の空気調和機は、筐体を成す台枠と、放熱フィンと伝熱管を有する熱交換器と、前記熱交換器で熱交換された空気を吹き出し口より吹き出す送風機と、前記熱交換器の少なくとも一方の側面に設けられ前記熱交換器を前記台枠に固定するための端板とを備え、前記端板は、前記伝熱管を挟むように配されると共に、放熱フィンの外側に位置する結合部を介して一体に形成された風上側端板と風下側端板とからなり、前記結合部の幅寸法を数ミリメートルとしたもので、幅の狭い結合部をカットするだけで、風上側端板と風下側端板が容易に分離でき、両端板を簡単に取り外すことが出来る。
【発明の効果】
【００１３】
本発明の空気調和機は、端板を容易に取り外すことが出来、放熱フィンと伝熱管の再利用率を向上させることが出来る。
【発明を実施するための最良の形態】
【００１４】
第１の発明は、筐体を成す台枠と、放熱フィンと伝熱管を有する熱交換器と、前記熱交換器で熱交換された空気を吹き出し口より吹き出す送風機と、前記熱交換器の少なくとも一方の側面に設けられ前記熱交換器を前記台枠に固定するための端板とを備え、前記端板を風上側端板と風下側端板で形成すると共に、前記風上側端板と前記風下側端板とを前記伝熱管を挟むようにして結合したもので、結合部を外すことにより、容易に風上側端板と風下側端板が分離され、かつ両端板を伝熱管より取り外すことが出来る。
【００１５】
第２の発明は、特に、第１の発明の風上側端板と風下側端板とをビスで結合又は／及び一方に設けた爪を他方に設けた孔に引っ掛けて結合するもので、ビスを外すことによりあるいは、爪を孔から外すだけで、簡単に両端板を取り外すことが出来る。
【００１６】
第３の発明は、筐体を成す台枠と、放熱フィンと伝熱管を有する熱交換器と、前記熱交換器で熱交換された空気を吹き出し口より吹き出す送風機と、前記熱交換器の少なくとも一方の側面に設けられ前記熱交換器を前記台枠に固定するための端板とを備え、前記端板は、前記伝熱管を挟むように配されると共に、放熱フィンの外側に位置する結合部を介して一体に形成された風上側端板と風下側端板とからなり、前記結合部の幅寸法を数ミリメートルとしたもので、幅の狭い結合部をカットするだけで、風上側端板と風下側端板が容易に分離でき、両端板を簡単に取り外すことが出来る。
【００１７】
以下、本発明の実施の形態について、図面を参照しながら説明する。なお、本実施の形態によって本発明が限定されるものではない。
【００１８】
（実施の形態１）
図１は、本発明の第１の実施の形態における空気調和機の断面図、図２は、同空気調和機の熱交換器の斜視図である。
【００１９】
なお、上記従来例と同一部分については、同一符号を付してその説明を省略する。
【００２０】
空気調和機は、前面と、上部に斜めにそれぞれ熱交換器１ａ、１ｂを内蔵し、熱交換器１ａと熱交換器１ｂは、ビス１０で固定されている。熱交換器１ａ、１ｂのそれぞれの両側面には、取り付け孔３ａを有するとともに鉄材からなる端板３が設けられ、取り付け孔３ａを、空気調和機の筐体を成す台枠２に設けた爪２ａに引っ掛けて、熱交換器１ａ、１ｂを固定している。
【００２１】
室内の空気は、熱交換器１ａ、１ｂの背後に設置された送風機４の運転により、台枠２の前面に配した吸入パネル５より吸い込まれ、熱交換器１ａ、１ｂにて熱交換され吹き出し口６より吹き出される構造となっている。
【００２２】
熱交換器１ａ、１ｂのそれぞれの端板３は、風上側端板３ｂと風下側端板３ｃの二つの端板で構成されており、両端でビス７により結合されて一個の端板３となっている。
【００２３】
熱交換器１を製作する時は、放熱フィン８の両端に結合した端板３を配し、伝熱管９を拡管することにより、従来と同等の機能を有する端板を得ることが出来る。
【００２４】
風上側端板３ｂと風下側端板３ｃを結合する方法としては、ビス７を用いて行うことが非常に確実で簡単である。
【００２５】
上記構成により、熱交換器１ａ、１ｂの材料を再利用しようとする時は、ビス７を外すだけで、風上側端板３ｂと風下側端板３ｃのそれぞれを外側に容易に取り除くことが出来、端板は鉄の再利用に、放熱フィン８と伝熱管９は、次工程に送り再生することが出来る。
【００２６】
風上側端板３ｂと風下側端板３ｃとを結合する他の方法として、図３に示すように、風上側端板３ｂの両端に爪３ｄを形成し、風下側端板３ｃの爪３ｄと相対する位置に孔３ｅをそれぞれ設け、爪３ｄを孔３ｅに嵌合又は引っ掛けて結合するようにしても良い。
【００２７】
（実施の形態２）
図４は、本発明の第２の実施の形態における空気調和機の端板３の斜視図である。
【００２８】
なお、上記第１の実施の形態と同一部分については、同一符号を付してその説明を省略する。
【００２９】
本実施の形態は、図４に示すように、熱交換器１の端板３を、伝熱管９を囲むように熱交換器１ａ、１ｂの端面に形成すると共に、風上側端板３ｂと風下側端板３ｃとを放熱フィン８より外側に位置する結合部３ｆを介して一体に形成したものである。
【００３０】
結合部３ｆは、３〜４ミリメートル程度の幅を有している。
【００３１】
上記構成により、熱交換器１ａ、１ｂを再生する時には、結合部３ｆをカットするだけで、端板３を容易に分離することが出来るものである。また、結合部３ｆの幅が３〜４ミリメートルと狭いので、簡単な工具で容易にカットすることができる。
【産業上の利用可能性】
【００３２】
以上のように、本発明にかかる空気調和機は、熱交換器の端板を風上側と風下側に簡単に分離できるように構成したことにより、熱交換器に使用している材料を再生しようとする時、端板を容易に分離できることによりリサイクル率の向上に寄与出来、熱交換器を有する各種空気調和機に適用できる。
【図面の簡単な説明】
【００３３】
【図１】本発明の実施の形態１における空気調和機の断面図
【図２】同空気調和機の熱交換器の斜視図
【図３】空気調和機の他の例を示す熱交換器の端板の斜視図
【図４】本発明の実施の形態２における空気調和機の熱交換器の端板の斜視図
【図５】従来の空気調和機の断面図
【符号の説明】
【００３４】
１ａ、１ｂ  熱交換器
２  台枠
２ａ  爪
３  端板
３ｂ  風上側端板
３ｃ  風下側端板
３ｄ  爪
３ｅ  孔
３ｆ  結合部
４  送風機
６  吹き出し口
７  ビス
８  放熱フィン
９  伝熱管
【図１】
2006200811.tif 000003
【図２】
2006200811.tif 000004
【図３】
2006200811.tif 000005
【図４】
2006200811.tif 000006
【図５】
2006200811.tif 000007